(57)【特許請求の範囲】
【請求項１】
供給されるコンクリート材料を基盤上で連続的に成形しコンクリート構造物を形成する成形モールドと、
前記成形モールドを前記基盤上で移動させる移動機構と、
前記成形モールドに対して固定され、前記成形モールドの移動に伴って前方の基盤上の土砂を排除する排土面を有し、前記基盤の整正を行う整正部と、を備えるコンクリート連続成形装置を走行させ、前記基盤の整正を行う整正工程と、
前記整正工程の後、前記コンクリート連続成形装置を、前記整正部を取り外した状態で走行させ、コンクリート材料を前記成形モールドによって前記基盤上で連続的に成形しコンクリート構造物を形成するコンクリート構造物形成工程と、
前記整正工程と前記コンクリート構造物形成工程との間に実行され、前記基盤上に先行目地板を設置する先行目地板設置工程を備え、
前記コンクリート構造物形成工程では、前記先行目地板を成形モールドの内空部に通過させながら前記成形モールドを前記基盤上で移動させ、前記先行目地板を埋込んだコンクリート構造物を基盤上に形成する、コンクリート連続成形方法。
【請求項２】
前記排土面が、前記成形モールドの内空部の移動軌跡上に位置する、請求項１に記載のコンクリート連続成形方法。
【発明の詳細な説明】
【技術分野】
【０００１】
本発明は、コンクリート連続成形装置及びコンクリート連続成形方法に関するものである。
【背景技術】
【０００２】
従来、この分野の技術として、下記特許文献１に記載のように縁石を構築するためのコンクリート連続成形装置が知られている。この装置が施工面上を移動すると共にコンクリート材料が成形モールドに供給され、成形モールドにおいてコンクリート材料が縁石の形状に連続的に形成されることで、成形モールドの移動軌跡上で線状に延びる縁石を構築するものである。
【先行技術文献】
【特許文献】
【０００３】
【特許文献１】特開2001-164507号公報
【発明の概要】
【発明が解決しようとする課題】
【０００４】
この種のコンクリート連続成形においては、例えば未舗装の地面上など平滑ではない基盤上にコンクリート構造物を構築することも考えられる。しかしながらこの場合には、コンクリート構造物の形成に先立って基盤の整正を行うことが必要である。よって、例えば、整正を実行するためのブルドーザや油圧ショベル等の機械を導入することになり、工事の管理が煩雑になってしまう。これに対して、本発明は、整正用の機械を省略して基盤の整正を実行することができるコンクリート連続成形方法を提供することを目的とする。
【課題を解決するための手段】
【０００５】
本発明のコンクリート連続成形装置は、供給されるコンクリート材料を基盤上で連続的に成形しコンクリート構造物を形成する成形モールドと、成形モールドを基盤上で移動させる移動機構と、成形モールドに対して着脱可能に固定され、成形モールドの移動に伴って前方の基盤上の土砂を排除する排土面を有し、基盤の整正を行う整正部と、を備える。
【０００６】
このコンクリート連続成形機によれば、コンクリート構造物の形成に先立って、整正部を取り付けた状態のコンクリート連続成形装置を移動させることで、整正部による基盤の整正を行うことができる。このように、コンクリート連続成形装置を整正用の機械としても使用することができるので、基盤の整正が必要な場合にも、整正用の機械を別途準備する必要がない。
【０００７】
また、排土面は、成形モールドの内空部の移動軌跡上に位置するようにしてもよい。この構成によれば、コンクリート構造物を形成する場合と同じ軌跡で成形モールドを移動させることにより、排土面を基盤上で移動させ当該基盤上の整正を行うことができる。従って、成形モールドの位置制御のための設定を、整正においてもそのまま使用することができる。
【０００８】
また、排土面は、成形モールドの内空部の移動方向前方に位置し、当該内空部よりも幅広であるようにしてもよい。この構成によれば、基盤上の土砂が排土面の後方に回り込んで成形モールドの内空部に侵入する可能性が低減される。
【０００９】
また、排土面は、平面視において成形モールドの移動方向に対して傾いていることとしてもよい。この構成によれば、基盤上の余分の土砂が排土面の側方に円滑に排除される。
【００１０】
本発明のコンクリート連続成形方法は、上記何れかのコンクリート連続成形装置を、整正部を取り付けた状態で走行させ、基盤の整正を行う整正工程と、整正工程の後、コンクリート連続成形装置を、整正部を取り外した状態で走行させ、コンクリート材料を成形モールドによって基盤上で連続的に成形しコンクリート構造物を形成するコンクリート構造物形成工程と、を備える。
【００１１】
また、本発明のコンクリート連続成形方法は、整正工程とコンクリート構造物形成工程との間に実行され、基盤上に先行目地板を設置する先行目地板設置工程を更に備え、コンクリート構造物形成工程では、先行目地板を成形モールドの内空部に通過させながら成形モールドを基盤上で移動させ、先行目地板を埋込んだコンクリート構造物を基盤上に形成することとしてもよい。
【００１２】
コンクリート構造物形成工程においては整正部を取り外すことで、先行目地板設置工程で設置された先行目地板と整正部との干渉が避けられる。
【発明の効果】
【００１３】
本発明によれば、整正用の機械を省略して基盤の整正を実行することができるコンクリート連続成形方法を提供することができる。
【図面の簡単な説明】
【００１４】
【図１】（ａ）は、第１実施形態に係るコンクリート連続成形装置の側面図であり、（ｂ）は、その背面図である。
【図２】コンクリート連続成形装置のホッパ及び成形モールドを示す斜視図である。
【図３】（ａ）は、コンクリート連続成形装置のホッパ及び成形モールドを示す一部破断側面図であり、（ｂ）は、その平面図である。
【図４】（ａ）〜（ｃ）は、第１実施形態に係るコンクリート連続成形方法を示す斜視図である。
【図５】コンクリート構造物形成工程におけるホッパ及び成形モールドを示す断面図である。
【図６】（ａ），（ｂ）は、バイブレータが先行目地板を回避する状態を示す断面図である。
【図７】第２実施形態に係るコンクリート連続成形装置のホッパ及び成形モールドを示す斜視図である。
【発明を実施するための形態】
【００１５】
（第１実施形態）
以下、図面を参照しながら本発明に係るコンクリート連続成形装置及びコンクリート連続成形方法の第１実施形態について説明する。図１（ａ）は本実施形態に係るコンクリート連続成形装置１を走行方向の側面から見た側面図であり、図１（ｂ）はコンクリート連続成形装置１を走行方向の後方から見た背面図である。
【００１６】
以下では、単に「走行方向」と言う場合にはコンクリート連続成形装置１の走行方向を意味し、単に「幅方向」と言う場合にはコンクリート連続成形装置１の幅方向を意味するものとする。また、以下の説明で「前方」、「後方」などの前後の概念を含む語を用いる場合には、コンクリート連続成形装置１の走行方向の前方・後方に対応させるものとし、「右側」、「左側」などの左右の概念を含む語を用いる場合には、コンクリート連続成形装置１の走行方向に向かって右・左を意味するものとする。
【００１７】
図１に示されるコンクリート連続成形装置１は、一様な断面形状で線状に延在するコンクリート構造物を、所定の基盤上に構築する装置である。上記基盤は、例えば、未舗装の地盤であってもよく、既設の他のコンクリート構造物であってもよい。図１に示されるように、コンクリート連続成形装置１は、本体３と、本体３に設けられた走行機構（移動機構）５とを備えている。コンクリート連続成形装置１は走行機構５によって矢印Ａ方向に自走する。走行機構５は履帯であってもよく車輪であってもよい。
【００１８】
本体３の左側には、コンクリート材料を成形する成形モールド７が設けられている。成形モールド７の内空部８は、構築すべきコンクリート構造物に対応する断面形状をなし、コンクリート連続成形装置１の走行方向に延在している。コンクリート連続成形装置１は、本体３に対して成形モールド７を昇降可能な油圧装置（図示せず）を備えている。成形モールド７の上方にはコンクリート材料を成形モールド７に導入するホッパ９が設けられている。また、本体３には、コンクリート材料をホッパ９に投入するスクリューコンベア装置１１が設けられている。スクリューコンベア装置１１は、本体３の右側に位置する投入口１１ａを有し、当該投入口１１ａに供給されるコンクリート材料を本体３の左側に位置するホッパ９の入口９ａまで搬送する。
【００１９】
基盤上においては、成形モールド７を、コンクリート構造物を構築すべきライン（以下、「施工計画ラインＬ」という）の直上で移動させる必要がある。すなわち、成形モールド７の移動軌跡を制御する必要があり、走行中における成形モールド７の幅方向の位置及び上下方向の位置を制御する必要がある。このため、成形モールド７の移動軌跡を制御する仕組みとして、施工計画ラインＬに平行に延在する紐状のセンサワイヤ５１（図４参照）が予め準備される。センサワイヤ５１は、施工計画ラインＬから所定の距離（例えば１ｍ）だけ左方向に離れた位置で、基盤面から所定の高さ（例えば５０ｃｍ）の位置に設置される。例えば、施工計画ラインＬの左側方に所定間隔でセンサワイヤ用の支柱５２が配列され、この支柱５２にセンサワイヤ５１が架け渡される。
【００２０】
これに対し、図１に示されるように、コンクリート連続成形装置１はセンサ１３を備えている。センサ１３は、例えば、本体３から成形モールド７の外側まで左方に延び出すアーム１３ａの先端に取り付けられる。例えば、センサ１３は、成形モールド７の外側に位置するセンサワイヤ５１に接触して当該センサワイヤ５１の位置（幅方向の位置及び上下方向の位置）を検知する。なお、センサ１３は、センサワイヤ５１の位置を非接触で検知するタイプのものであってもよい。
【００２１】
コンクリート連続成形装置１の走行時においては、センサ１３によって、センサワイヤ５１の幅方向の位置及び上下方向の位置が検知される。そして、走行機構５は、成形モールド７とセンサワイヤ５１との幅方向の距離を一定に維持するように操舵制御される。また、成形モールド７を昇降させる油圧装置は、成形モールド７とセンサワイヤ５１との上下方向の距離を一定に維持するように成形モールド７の上下方向の位置を制御する。これらの構成により、走行中における成形モールド７の幅方向の位置及び上下方向の位置が制御され、成形モールド７の移動軌跡が制御される。そして、成形モールド７とセンサ１３との位置関係と、施工計画ラインＬとセンサワイヤ５１との位置関係と、が予め調整されることで、成形モールド７が施工計画ラインＬの直上を移動するように設定されている。
【００２２】
コンクリート連続成形装置１によるコンクリート構造物の施工の概要は次のとおりである。スクリューコンベア装置１１の投入口１１ａにコンクリートミキサー車からコンクリート材料を供給すると共に、コンクリート連続成形装置１を施工計画ラインＬに沿って所定の速度（例えば、約１ｋｍ／ｈ）で走行させる。このとき、成形モールド７は前述の移動軌跡制御によって施工計画ラインＬの直上を移動する。スクリューコンベア装置１１で搬送されたコンクリート材料は、ホッパ９上端の入口９ａに投入される。ホッパ９からのコンクリート材料は自重で成形モールド７に導入され、成形モールド７は、基盤上においてコンクリート材料を所定の断面形状に成形する。そして、コンクリート連続成形装置１が前方に移動するに従って、成形モールド７の後方には、未硬化のコンクリート構造物が施工計画ラインＬ上に連続的に形成されていく。その後、形成された未硬化のコンクリート構造物が硬化することで、コンクリート構造物が完成する。なお、上記の未硬化のコンクリート構造物が容易に変形しないように、比較的低スランプのコンクリート材料が使用される。
【００２３】
図２はコンクリート連続成形装置１の成形モールド７及びホッパ９を示す斜視図であり、図３（ａ）は、その一部破断断面図であり、図３（ｂ）はその平面図である。前述のとおり、成形モールド７の内空部８（以下「モールド内空部８」という）は、構築すべきコンクリート構造物に対応する断面形状をなし、コンクリート連続成形装置１の走行方向（矢印Ａ方向）に延在している。例えば、本実施形態におけるモールド内空部８は、台形断面のコンクリート構造物を形成するために、台形の断面形状をなしている。そして、成形モールド７の前端には台形状の前端開口７ａが形成され、モールド７の後端には台形状の後端開口７ｂが形成される。このように、モールド内空部８の前端及び後端が開口しているので、コンクリート連続成形装置１は、後述する先行目地板５５（図４（ｂ）参照）を使用する工法や、予め鉄筋が設置された位置にコンクリートを連続打設する工法にも適用可能である。
【００２４】
成形モールド７の上面にはホッパ９が設けられており、ホッパ９の内空部１０（以下「ホッパ内空部１０」という）がモールド内空部８に連通している。ホッパ９の直下の位置において、モールド内空部８内にはバイブレータ１５が設置されている。バイブレータ１５は、成形モールド７には接触しないようにモールド内空部８に位置し、振動することにより当該モールド内空部８に導入されたコンクリート材料の締固めを行う。バイブレータ１５は、ホッパ９外に設置されたサイクルチェンジャー等の駆動源（図示せず）にケーブル１７を介して接続されている。ケーブル１７は、ホッパ内空部１０を通過してホッパ９の入口９ａからホッパ９外へ引き出されている。
【００２５】
また、ホッパ９の入口９ａの近傍には、バイブレータ１５をモールド内空部８に対して挿抜方向に往復移動させるためのバイブレータ挿抜機構が設けられている。一具体例として、ホッパ９の入口９ａには、ブラケット２１を介して油圧シリンダ２３が固定されており、当該油圧シリンダ２３の伸縮ロッド２３ａにケーブル１７が固定されている。油圧シリンダ２３は、ホッパ９外に設置される油圧ユニット及び操作部（図示せず）に接続されている。ユーザによる操作部の操作に対応して、油圧シリンダ２３の伸縮ロッド２３ａが伸縮する。この構成により、バイブレータ１５をモールド内空部８内に挿抜する方向（上下方向）に駆動することができ、例えば、バイブレータ１５をモールド内空部８からホッパ内空部１０に退避させることができる。ここで、ホッパ内空部１０の直下の位置におけるモールド内空部８とは、内空部８の天端面８ａに一致する仮想平面よりも下方の領域である。なお、図２及び図３に示す例では、上記のようなバイブレータ１５及び油圧シリンダ２３のセットが幅方向に配列されて２セット存在しているが、バイブレータ１５及び油圧シリンダ２３のセット数は適宜変更してもよい。
【００２６】
また、図２及び図３に示されるように、成形モールド７の前端開口７ａの前方には、不陸整正部３１（整正部）が設けられている。一具体例として、不陸整正部３１は、金属製の部材であり、平板状の排土板３３と、排土板３３から後方に延びる取付ロッド３５とで構成されている。取付ロッド３５が成形モールド７の側面に着脱可能に取り付けられることで、不陸整正部３１は成形モールド７に対して着脱可能に固定される。不陸整正部３１は成形モールド７に対して、例えば、工具を使用せずに手動の操作で着脱可能であってもよい。なお、取付ロッド３５を成形モールド７の側面に対して着脱する機構としては、種々の公知の機構が採用可能である。
【００２７】
排土板３３の前面は、コンクリート連続成形装置１の走行に伴って前方の基盤上の土砂を排除する排土面３７である。排土面３７の下縁は成形モールド７の下端とほぼ同じ高さに位置するようにしてもよい。また、排土面３７の幅方向の寸法は、モールド内空部８の幅方向の寸法よりも大きく、排土面３７は、正面視において、モールド内空部８の前方を幅方向全体に亘って覆う位置にある。また、平面視において（すなわち、図３（ｂ）の方向から見て）、排土面３７は走行方向Ａに対して傾いており、本体３から離れる方向（左方向）に行くに従って後退するように傾斜している。
【００２８】
上記の構成に基づく不陸整正部３１の機能は次のとおりである。不陸整正部３１が取り付けられた状態でコンクリート連続成形装置１を走行させると、排土面３７及びモールド内空部８の移動軌跡上に存在する土砂が排土面３７によって掻き均され、余分な土砂は排土面３７によって押し退けられ施工計画ラインＬの側方に排除される。これにより当該領域の不陸整正が達成される。ここで、前述のように幅広に設けられた排土面３７が、モールド内空部８の前方を幅方向全体に亘って覆う位置関係により、排土面３７で押し退けられた土砂が排土板３３の後方に回り込んで前端開口７ａから侵入する可能性が低減される。また、平面視において排土面３７が走行方向Ａに対して傾いているので、余分の土砂が排土面３７の側方に向けて円滑に排除される。また、前述のとおり、コンクリート連続成形装置１は、本体３に対して成形モールド７を昇降可能な油圧装置（図示せず）を備えているので、整正される地盤高さを調整することができる。
【００２９】
続いて、図４〜図６を参照しながら、上記のコンクリート連続成形装置１を用いたコンクリート連続成形方法の一例について説明する。このコンクリート連続成形方法は、未舗装の地面５０（基盤）上に設定される施工計画ラインＬ上に、台形断面をなすコンクリート構造物５９を構築するものである。なお、図４においては、コンクリート連続成形装置１のうち要部である成形モールド７、ホッパ９及び不陸整正部３１のみを図示している。このコンクリート連続成形方法は、以下に説明するセンサワイヤ設置工程と、整正工程と、先行目地設置工程と、コンクリート構造物形成工程と、締固め工程と、を備える。
【００３０】
（センサワイヤ設置工程）
図４（ａ）に示されるように、地面５０上の施工計画ラインＬの側方に、所定間隔でセンサワイヤ用の支柱５２が配列され、施工計画ラインＬに平行なセンサワイヤ５１が支柱５２に架け渡される。センサワイヤ５１は、施工計画ラインＬに対して所定の距離だけ水平方向に離れると共に、所定の距離だけ上下方向に離れた位置に設置される。
【００３１】
（整正工程）
続いて、不陸整正部３１を取り付けた状態のコンクリート連続成形装置１を、施工計画ラインＬに沿って矢印Ａ方向に走行させる。このとき、前述したような、センサワイヤ５１に対する成形モールド７の位置制御によって、成形モールド７は施工計画ラインＬの直上を矢印Ａ方向に移動する。これに伴い、不陸整正部３１の排土面３７も、施工計画ラインＬの直上を矢印Ａ方向に移動する。上記のようなコンクリート連続成形装置１の走行によって、地面５０上の施工計画ラインＬ上の土砂が掻き均され、余分な土砂が施工計画ラインＬの側方に排除されることで、施工計画ラインＬ上の不陸整正が達成される。また、この整正工程には、地面５０における地盤高さを調整する工程が含まれてもよい。すなわち、不陸整正部３１の位置を所望の高さに合わせることで、地面５０における地盤が不陸整正部３１によって自動的に所望の高さに削られ、当該地盤高さが調整される。
【００３２】
（先行目地板設置工程）
次に、図４（ｂ）に示されるように、不陸整正済みの施工計画ラインＬ上に、先行目地板５５が所定の間隔（例えば１０ｍ間隔）で設置される。先行目地板５５は、施工計画ラインＬに直交する向きで鉛直に立設される。先行目地板５５を立設状態で支持するために、例えば、先行目地板５５の後方の面に支持材５６（図５参照）等を設けてもよい。
【００３３】
（コンクリート構造物形成工程）
続いて、図４（ｃ）に示されるように、コンクリート連続成形装置１によって施工計画ラインＬ上にコンクリート構造物５９を連続的に形成する。具体的には、不陸整正部３１を取り外した状態のコンクリート連続成形装置１を施工計画ラインＬに沿って走行させると共に、コンクリートミキサー車（図示せず）からのコンクリート材料Ｃをホッパ９に供給する。このとき、前述したような、センサワイヤ５１に対する成形モールド７の位置制御によって、成形モールド７は施工計画ラインＬの直上を矢印Ａ方向に移動する。そして、成形モールド７は、施工計画ラインＬ上でコンクリート材料Ｃを台形断面に成形する。これにより、コンクリート連続成形装置１の前進に伴い、施工計画ラインＬ上に延在する未硬化のコンクリート構造物５９が、成形モールド７の後方に連続的に形成されていく。
【００３４】
ここで、図５に示されるように、先行目地板５５の高さは、コンクリート構造物５９の上端の仕上面５９ａの高さよりも低くなるように設定されている。すなわち、先行目地板５５の高さは、モールド内空部８の天端面８ａの高さよりも低くなるように設定されている。そして、先行目地板５５とコンクリート構造物５９の上端の仕上面５９ａとの高さの差５８は、コンクリート材料Ｃに含まれる粗骨材の最大寸法（例えば、４０ｍｍ）よりも大きくなるように設定されている。なお、粗骨材の最大寸法とは、下記の文献１等にも記載されているとおり、質量で骨材の９０％以上が通るふるいのうち、最小寸法の呼び寸法で示される寸法と定義される。
（文献１）日本コンクリート工学会編、「コンクリート技術の要点 '15」、コンクリート工学協会、2015年9月発行
【００３５】
先行目地板５５は、上記のように高さが設定されている点以外は、モールド内空部８の断面形状にほぼ対応した台形の形状をなし、モールド内空部８の断面よりも僅かに小さい。従って、先行目地板５５が立設された施工計画ラインＬ上を成形モールド７が移動する場合には、先行目地板５５は成形モールド７に干渉せずに、モールド内空部８を通過することができる。すなわち、先行目地板５５は、成形モールド７の移動に伴って、前端開口７ａからモールド内空部８に入り後端開口７ｂから成形モールド７外に出る。そして、先行目地板５５はモールド内空部８内でコンクリート材料Ｃに埋め込まれ、その結果、完成後のコンクリート構造物５９には、先行目地板５５が所定の間隔で埋め込まれた状態となる。
【００３６】
（締固め工程）
図５に示されるように、上記のコンクリート構造物形成工程の実行中においては、バイブレータ１５によって、ホッパ内空部１０からモールド内空部８に流動するコンクリート材料Ｃに振動が付与され、当該コンクリート材料Ｃの締固めが行われる。このように締固めされたコンクリート材料Ｃが成形モールド７により成形されてコンクリート構造物５９が形成されるので、当該コンクリート構造物５９が密実な状態となる。
【００３７】
また、図６に示されるように、締固め工程では、モールド内空部８を通過する先行目地板５５とバイブレータ１５との干渉を避けるために、バイブレータ１５を先行目地板５５から回避させるバイブレータ回避処理が実行される。具体的には、図６（ａ）に示されるように、バイブレータ１５が先行目地板５５の位置に到達する直前に、油圧シリンダ２３（図３参照）によってバイブレータ１５を上昇させ、バイブレータ１５をホッパ内空部１０に退避させる。そして、図６（ｂ）に示されるように、バイブレータ１５が先行目地板５５の位置を通過した後に、再び油圧シリンダ２３（図３参照）によってバイブレータ１５を下降させ、バイブレータ１５をモールド内空部８に戻す。上記のような油圧シリンダ２３の操作は、例えば、ユーザの手動操作によって実行される。なお、図６においては、コンクリート材料Ｃの図示を省略している。
【００３８】
以上のようなコンクリート連続成形方法によって、施工計画ラインＬ上に線状に延在する台形断面のコンクリート構造物５９が形成される。
【００３９】
続いて、上述したコンクリート連続成形装置１及びコンクリート連続成形方法による作用効果について説明する。このコンクリート連続成形装置１及びコンクリート連続成形方法によれば、モールド内空部８において、バイブレータ１５によるコンクリート材料の締固めが行われるので、密実なコンクリート構造物５９が構築される。また、バイブレータ１５がホッパ９の直下の位置に設置されるので、ホッパ９から導入された直後で、成形モールド７で完全に成形される前のコンクリート材料Ｃに対して振動が付与される。従って、成形モールド７では、振動が十分に付与された後のコンクリート材料Ｃが成形されるので、より密実なコンクリート構造物５９が形成される。
【００４０】
また、コンクリート連続成形装置１は、油圧シリンダ２３等で構成されるバイブレータ挿抜機構を備えるので、先行目地板５５をモールド内空部８に通過させる際に、先行目地板５５とバイブレータ１５との干渉を避けることができる。
【００４１】
また、バイブレータ１５は、成形モールド７には接触しないようにモールド内空部８に位置している。この構成によれば、バイブレータを成形モールド７自体に取り付ける構成（例えば、型枠バイブレータ等）に比較して、成形モールド７の振動が抑えられ、その結果、コンクリート構造物５９の成形精度の低下が抑えられる。
【００４２】
また前述のとおり、先行目地板５５とコンクリート構造物５９の上端の仕上面５９ａとの高さの差は、コンクリート材料Ｃに含まれる粗骨材の最大寸法よりも大きくなるように設定されている。従って、図５に示されるように、先行目地板５５がモールド内空部８を通過するときには、モールド内空部８の天端面８ａと先行目地板５５の上端との間に、粗骨材よりも大きい上下方向の隙間Ｇが生じることになる。よって、成形モールド７にコンクリート材料Ｃが導入されるときに、粗骨材を含めてコンクリート材料Ｃが隙間Ｇを通じて先行目地板５５の後方空間から前方空間へ溢れるように移動する。特に、バイブレータ１５がホッパ内空部１０に退避したときにも、隙間Ｇを通じてコンクリート材料Ｃが先行目地板５５の前面側に流動するので、先行目地板５５の前面近傍においてもコンクリート材料Ｃが十分に充填される。またこのとき、粗骨材まで含めてコンクリート材料Ｃが前方空間に移動するので、コンクリート材料Ｃの材料分離も発生し難い。
【００４３】
また、コンクリート連続成形装置１は、着脱可能な不陸整正部３１を備えている。この構成によれば、コンクリート構造物５９の形成に先立って、不陸整正部３１を取り付けた状態のコンクリート連続成形装置１を、施工計画ラインＬに沿って走行させることで、施工計画ラインＬ上の不陸整正が可能である。このように、コンクリート連続成形装置１を不陸整正用の機械として使用することができるので、施工計画ラインＬの不陸整正が必要な場合にも、不陸整正用の機器を別途準備する必要がない。また、施工計画ラインＬ上の土砂の除去が可能であることから、例えば未舗装の地盤など、土砂の除去の必要性が高い基盤上にコンクリート連続成形を行う場合には、本実施形態のコンクリート連続成形装置１及びコンクリート連続成形方法が特に好適に適用できる。
【００４４】
また、不陸整正部３１の排土面３７がモールド内空部８の走行軌跡上に位置している。その一具体例として、排土面３７が成形モールド７の前端開口７ａの前方に設けられている。この構成によれば、整正工程においても、コンクリート構造物形成工程と同じ移動軌跡で成形モールド７を移動させればよい。従って、センサワイヤ５１やセンサ１３等の、成形モールド７の位置制御のための設定を、整正工程においてもそのまま使用することができる。
【００４５】
また、コンクリート連続成形装置１においては、センサワイヤ５１及びセンサ１３を利用して成形モールド７の移動軌跡を高精度に制御することができる。その結果、整正工程においては、不陸整正部３１の移動軌跡も高精度で制御されるので、高精度で基盤の不陸整正を行うことができる。また、上記のような高精度の不陸整正が、コンクリート連続成形装置１の移動速度（例えば、約１ｋｍ／ｈ）で行われる。従って、ブルドーザ等の機械で基盤を敷き均しながら測量で不陸を確認するといった従来の方法に比較して、基盤の不陸整正を効率よく実行することができる。
【００４６】
また、不陸整正部３１は着脱可能であるので、コンクリート構造物形成工程においては不陸整正部３１を取り外すことができる。これにより、コンクリート構造物形成工程において、先行目地板５５と不陸整正部３１との干渉が避けられるので、先行目地板５５を使用する工法にも適用することができる。また、同様に、予め鉄筋が設置された位置にコンクリートを連続打設する工法にも適用可能である。
【００４７】
（第２実施形態）
続いて、図７を参照しながら本発明に係るコンクリート連続成形装置及びコンクリート連続成形方法の第２実施形態について説明する。図７に示されるように、本実施形態のコンクリート連続成形装置は、前述のバイブレータ１５に代えて、成形モールド７の側方の外周壁７ｃに設けられた開閉式の窓部６１を備えている。この点以外の構成については、第１実施形態と同様であるので、重複する説明を省略する。窓部６１は、例えば、ホッパ９の下方の位置に設けられ、成形モールド７の外部とモールド内空部８とを連通する。窓部６１は、例えば走行方向Ａにスライド可能な蓋部を有しており、当該蓋部を移動させることにより開閉可能である。ユーザは、当該窓部６１を介して、例えば、手持ち式のバイブレータ６３を外部からモールド内空部８に対して挿抜可能である。なお、不要の場合にはコンクリート材料Ｃの漏出を防ぐために、窓部６１を閉じればよい。
【００４８】
本実施形態のコンクリート連続成形方法は、上記のようなコンクリート連続成形装置を用いて行われ、第１実施形態の締固め工程に代えて、次のような締固め工程が実行される。なお、締固め工程以外の工程については、第１実施形態と同様であるので、重複する説明を省略する。
【００４９】
コンクリート構造物形成工程の実行中においては、窓部６１からバイブレータ６３が挿入され振動が付与される。これにより、ホッパ内空部１０からモールド内空部８に流動するコンクリート材料Ｃに振動が付与され、当該コンクリート材料Ｃの締固めが行われる。また、モールド内空部８を通過する先行目地板５５とバイブレータ６３との干渉を避けるために、窓部６１が先行目地板５５の位置に到達する直前にバイブレータ６３を引き抜き、窓部６１が先行目地板５５の位置を通過した後に、再びバイブレータ６３を挿入するようにすればよい。なお、成形モールド７の窓部６１を設ける位置は、側方の外周壁７ｃには限定されない。すなわち、窓部６１が成形モールド７の外部とモールド内空部８とを連通する構造であればよく、例えば成形モールド７の上壁７ｄに窓部６１を設けてもよい。
【００５０】
以上のような本実施形態のコンクリート連続成形装置及びコンクリート連続成形方法によっても、第１実施形態と同様の作用効果が奏される。
【００５１】
本発明は、上述した実施形態を始めとして、当業者の知識に基づいて種々の変更、改良を施した様々な形態で実施することができる。また、上述した実施形態に記載されている技術的事項を利用して、実施例の変形例を構成することも可能である。各実施形態の構成を適宜組み合わせて使用してもよい。
【００５２】
例えば、第１実施形態におけるバイブレータ１５は、そのバイブレータ１５の下端が少なくとも先行目地板５５（図５参照）に接触しない位置まで上昇可能であればよく、バイブレータ１５がモールド内空部８からホッパ内空部１０に完全に退避することは必須ではない。また、複数のバイブレータ１５のうちの一部が、先行目地板５５（図５参照）に干渉しない位置に設置されてもよい。このように先行目地板５５に干渉しない位置に設置されるバイブレータ１５については、上下方向へ往復移動させることは必須ではなく位置が固定されていてもよい。また、不陸整正部は、前方の基盤上の土砂を排除する排土面を有するものであればよく、板状の排土板を備えるものには限られない。例えば、不陸整正部は、前面に排土面を有するブロック状の部材であってもよい。また、先行目地板５５を設置する先行目地板設置工程は必須ではなく、先行目地板５５を設置せずにコンクリート連続成形を行ってもよい。この場合、成形モールド７の前端に形成された前端開口７ａも必須ではない。すなわちこの場合、成形モールド７には前端開口７ａが設けられず、後端開口７ｂのみが設けられた構成としてもよい。
【００５３】
また、例えば、本発明のコンクリート連続成形装置ではバイブレータ１５は省略してもよく、本発明のコンクリート連続成形方法では締固め工程を省略してもよい。
【符号の説明】
【００５４】
１…コンクリート連続成形装置、５…走行機構（移動機構）、７…成形モールド、７ｃ…外周壁、８…モールド内空部（内空部）、１５，６３…バイブレータ、２３…油圧シリンダ（バイブレータ挿抜機構）、３１…不陸整正部（整正部）、３７…排土面、５０…地面（基盤）、５５…先行目地板、５９…コンクリート構造物、５９ａ…仕上面、６１…窓部、Ｃ…コンクリート材料。
【図１】
0006711652.tif 000002
【図２】
0006711652.tif 000003
【図３】
0006711652.tif 000004
【図４】
0006711652.tif 000005
【図５】
0006711652.tif 000006
【図６】
0006711652.tif 000007
【図７】
0006711652.tif 000008